(57)【要約】本発明は、変換素子（２）及びＡＳＩＣ（３）を備えるマイクロフォン（１）を校正する方法に関し、所定のカットオフ周波数（ｆＬＬＦ）におけるマイクロフォン（１）の感度（Ｓｍｉｃ（ｆＬＬＦ））が、標準周波数（ｆｓｔａｎｄａｒｄ）におけるマイクロフォン（１）の感度（Ｓｍｉｃ（ｆｓｔａｎｄａｒｄ））に対して、所定の低下量（Δ）を示すように、ＡＳＩＣ（３）の周波数特性を校正するステップを備える方法である。又、本発明の他の態様はマイクロフォン（１）に関する。【選択図】図４
2019508985.tif 000002
【特許請求の範囲】
【請求項１】
変換素子（２）及びＡＳＩＣ（３）を備えるマイクロフォン（１）を校正する方法であって、
所定のカットオフ周波数（ｆＬＬＦ）におけるマイクロフォン（１）の感度（Ｓｍｉｃ（ｆＬＬＦ））が、標準周波数（ｆｓｔａｎｄａｒｄ）におけるマイクロフォン（１）の感度（Ｓｍｉｃ（ｆｓｔａｎｄａｒｄ））に対して、所定の低下量（Δ）を示すように、ＡＳＩＣ（３）の周波数特性を校正するステップを備える、方法。
【請求項２】
前記ＡＳＩＣ（３）の前記周波数特性が校正されるステップは、前記標準周波数（ｆｓｔａｎｄａｒｄ）における前記マイクロフォン（１）の感度（Ｓｍｉｃ（ｆｓｔａｎｄａｒｄ））と、前記所定のカットオフ周波数（ｆＬＬＦ）における前記マイクロフォン（１）の感度（Ｓｍｉｃ（ｆＬＬＦ））と、の差分が、前記所定の低下量（Δ）と等しくなるまで、前記ＡＳＩＣ（３）の前記周波数特性を段階的に調整する逐次近似法アルゴリズムにより行われる、請求項１に記載の方法。
【請求項３】
前記逐次近似法アルゴリズムにおいて、前記標準周波数（ｆｓｔａｎｄａｒｄ）における前記マイクロフォン（１）の感度（Ｓｍｉｃ（ｆｓｔａｎｄａｒｄ））と、前記所定のカットオフ周波数（ｆＬＬＦ）における前記マイクロフォン（１）の感度（Ｓｍｉｃ（ｆＬＬＦ））と、の差分が算出され、
前記ＡＳＩＣ（３）の前記周波数特性は、前記算出された差分と、ルックアップテーブルに格納された情報と、に基いて調整される、請求項２に記載の方法。
【請求項４】
前記ＡＳＩＣ（３）は、可変ハイパスフィルターを備え、
前記ＡＳＩＣ（３）の前記周波数特性が校正されることは、前記可変ハイパスフィルターのカットオフ周波数を調整することにより行われる、請求項３に記載の方法。
【請求項５】
前記算出された差分が前記所定の低下量（Δ）を下回るとき、前記可変ハイパスフィルターの前記カットオフ周波数を低下させる、請求項４に記載の方法。
【請求項６】
前記算出された差分が前記所定の低下量（Δ）を上回るとき、前記可変ハイパスフィルターの前記カットオフ周波数を上昇させる、請求項４又は５のいずれか１項に記載の方法。
【請求項７】
前記方法の最後のステップにおいて、前記ＡＳＩＣ（３）の前記周波数特性の設定が、不揮発性メモリに格納される、請求項１乃至６のいずれか１項に記載の方法。
【請求項８】
変換素子（２）と、
可変ハイパスフィルターを有するＡＳＩＣ（３）と、
前記可変ハイパスフィルターの設定の情報を格納する不揮発性メモリと、
を備えるマイクロフォン（１）であって、
前記格納された情報は、所定のカットオフ周波数（ｆＬＬＦ）におけるマイクロフォン（１）の感度（Ｓｍｉｃ（ｆＬＬＦ））が、標準周波数（ｆｓｔａｎｄａｒｄ）におけるマイクロフォン（１）の感度（Ｓｍｉｃ（ｆｓｔａｎｄａｒｄ））に対して、所定の低下量（Δ）を示すように、前記可変ハイパスフィルターの設定を可能とする、マイクロフォン（１）。
【請求項９】
前記変換素子（２）は、カットオフ周波数（ｆＬＬＦ，ＭＥＭＳ）を定義し、
前記ＡＳＩＣ（３）は、カットオフ周波数（ｆＬＬＦ，ＡＳＩＣ）を有し、
前記変換素子（２）の前記カットオフ周波数（ｆＬＬＦ，ＭＥＭＳ）及び前記ＡＳＩＣ（３）の前記カットオフ周波数（ｆＬＬＦ，ＡＳＩＣ）の各々は、前記マイクロフォン（１）の所定のカットオフ周波数（ｆＬＬＦ）よりも低い、請求項８に記載のマイクロフォン（１）。
【請求項１０】
前記ＡＳＩＣ（３）は、前記カットオフ周波数（ｆＬＬＦ，ＡＳＩＣ）を、１０Ｈｚから５０Ｈｚの間の値に合わせ込み可能に構成される、請求項８又は９のいずれか１項に記載のマイクロフォン（１）。
【請求項１１】
前記変換素子（２）は、前記カットオフ周波数（ｆＬＬＦ，ＭＥＭＳ）を、４０Ｈｚから８０Ｈｚの範囲内に定義する、請求項８乃至１０のいずれか１項に記載のマイクロフォン（１）。
【請求項１２】
前記ＡＳＩＣ（３）は、前置増幅器を備え、
前記可変ハイパスフィルターは、前記前置増幅器の中に統合される、請求項８乃至１１のいずれか１項に記載のマイクロフォン（１）。
【請求項１３】
前記ＡＳＩＣ（３）は、前置増幅器及び第２の増幅器を備え、
前記可変ハイパスフィルターは、前記前置増幅器と前記第２の増幅器との間に配置される、請求項８乃至１１のいずれか１項に記載のマイクロフォン（１）。
【請求項１４】
前記ＡＳＩＣ（３）は、前置増幅器及びシグマーデルタ変換器を備え、
前記可変ハイパスフィルターは、前記前置増幅器と前記シグマーデルタ変換器との間に配置される、請求項８乃至１１のいずれか１項に記載のマイクロフォン（１）。
【発明の詳細な説明】
【技術分野】
【０００１】
本発明は、マイクロフォンの校正方法及びマイクロフォンに関する。
【背景技術】
【０００２】
特に、本発明は、所定のカットオフ周波数を有するように、マイクロフォンの感度を校正することを可能とする方法に関する。カットオフ周波数は、下限周波数（ＬＬＦ）とも称される。カットオフ周波数を下回る周波数では、マイクロフォンの感度は、著しく低下する。特に、標準周波数における感度に対して、マイクロフォンの感度が、３ｄＢ又は、他の所定の量の低下がある周波数を、マイクロフォンのカットオフ周波数と定義することができる。
【０００３】
マイクロフォンの感度は、所定の入力音圧に応答して、マイクロフォンから出力されるアナログ出力電圧又はディジタル出力値の振幅として定義することができる。その感度及びカットオフ周波数は、あらゆるマイクロフォンの重要な仕様である。
【０００４】
ＭＥＭＳ変換素子の製造における、ほとんど不可避であるプロセスばらつきを鑑みると、マイクロフォンのカットオフ周波数を制御することは、非常に挑戦的なことである。特に、変換素子のカットオフ周波数は、通気口の直径により、ほぼ決定される。原理的には、より大きな通気口を用いることにより変換素子のカットオフ周波数のばらつきは減少させることが可能である。しかしながら、より大きな直径を有する通気口は、信号―雑音比の低下をもたらす。
【発明の概要】
【発明が解決しようとする課題】
【０００５】
本発明の目的は、マイクロフォンの校正の改良を可能とする方法を提供するところにある。他の目的として、改良されたマイクロフォンを供給するところにある。
【０００６】
これらの目的は、請求項１による方法により、及び第２の独立請求項によるマイクロフォンにより解決される。
【課題を解決するための手段】
【０００７】
マイクロフォンを構成する方法は、変換素子及びＡＳＩＣが提供されることを備える。当該方法は、所定のカットオフ周波数におけるマイクロフォンの感度が、標準周波数におけるマイクロフォンの感度と対して、所定の低下量を示すようにＡＳＩＣの周波数特性を校正するステップを備える。
【０００８】
本願の基本的な着想は、変換素子のカットオフ周波数のばらつきとして観察される、ほとんどの不可避な製造ばらつきを、ＡＳＩＣの周波数特性を校正することにより相殺できるというものである。この方法は、明確に定義された所定のカットオフ周波数を有するようなマイクロフォンの校正を可能とする。概して、マイクロフォンのカットオフ周波数は、変換素子の周波数応答及びＡＳＩＣの周波数応答のカスケード接続により決定されうる。ここでの、変換素子及びＡＳＩＣの両方はハイパスフィルターとして機能してよい。
【０００９】
所定の低下量は、３ｄＢ±０．２ｄＢの低下としてもよい。標準周波数は、マイクロフォンの応答範囲の中心周波数、例えば１ｋＨｚ、としてよい。
【００１０】
変換素子は、ＭＥＭＳデバイスであってよい。
【００１１】
「ＡＳＩＣの周波数特性」とは、ＡＳＩＣの周波数応答、又はＡＳＩＣの感度と称してもよい。周波数特性は、所定の入力信号に応答してＡＳＩＣから提供される、出力電圧の周波数依存性として表現されてよい。カットオフ周波数を下回る周波数では、周波数特性は、その感度が著しく低下する。
【００１２】
同様に、変換素子の周波数特性及びマイクロフォンの周波数特性も定義することができる。マイクロフォンの周波数特性は、変換素子の周波数特性及びＡＳＩＣの周波数特性により決定される。このように、ＡＳＩＣの周波数特性により校正することにより、変換素子の周波数特性のバラツキを相殺できる。それにより、本方法は、たとえ、各々のマイクロフォンが異なる周波数特性を有する変換素子を備えているとしても、ＡＳＩＣの校正がこれらの差異を相殺することができるので、同一の周波数特性を有するマイクロフォンを製造することを可能とする。
【００１３】
ＡＳＩＣの周波数特性は、標準周波数におけるマイクロフォンの感度と所定のカットオフ周波数におけるマイクロフォンの感度との差異が、所定の低下量と等しくなるまで、そのＡＳＩＣの周波数特性を、逐次近似法アルゴリズムにより段階的に調整することで、校正されてよい。特に、当該差異は、０．２ｄＢの許容誤差限度以内の、所定の低下量と等しくてよい。
【００１４】
この逐次近似法アルゴリズムの使用は、ＡＳＩＣの微調整に対して非常に効果的な方法であることが証明されている。特に、カットオフ周波数が所定の目標値に収束するまで、ＡＳＩＣの校正及び微調整をすることができる。
【００１５】
逐次近似法アルゴリズムにおいては、標準周波数におけるマイクロフォンの感度と所定のカットオフ周波数におけるマイクロフォンの感度との差異が算出される。そして、ＡＳＩＣの周波数特性は、算出された差異に基いて調整され、その情報はルックアップテーブルに格納される。ルックアップテーブルの使用は、校正プロセスを著しく促進する助けとなる。特に、ほとんどの場合、ルックアップテーブルに格納された値は必要な調整に関する精確な情報を伝え得るので、一つの校正ステップは、ＡＳＩＣの周波数特性を調整するのに十分である。
【００１６】
ＡＳＩＣは可変ハイパスフィルターを備えていてもよく、その可変ハイパスフィルターのカットオフ周波数を調整することにより、ＡＳＩＣの周波数特性が校正されてよい。ハイパスフィルターは、トランジスタを備えるパッシブ又はアクティブフィルターであってよい。可変ハイパスフィルターは、ハイパスフィルターのカットオフ周波数を修正可能な一つ以上の調整部品を備えてもよい。
【００１７】
算出された差分が所定の低下量を下回るとき、可変ハイパスフィルターのカットオフ周波数を低下させてよく、算出された差分が所定の低下量を上回るとき、可変ハイパスフィルターのカットオフ周波数を上昇させてよい。この可変ハイパスフィルターのカットオフ周波数の低下又は上昇に応じて、マイクロフォンのカットオフ周波数が所定の値に設定されるまで、段階的な近似法アルゴリズムの各ステップが繰り返されてよい。そこでは、ハイパスフィルターのカットオフ周波数が低下すると、ＡＳＩＣのカットオフ周波数も低下し、ハイパスフィルターのカットオフ周波数が上昇すると、ＡＳＩＣのカットオフ周波数も上昇する結果となる。
【００１８】
本方法の最後のステップにおいて、ＡＳＩＣの周波数特性の設定は、不揮発性メモリに格納されることであってよい。不揮発性メモリは、ワンタイムプログラマブルデバイスであってよい。このように、校正する方法は、製造プロセスの最後のステップの一期間だけで実行されるので、マイクロフォンを使用している顧客は、ＡＳＩＣの周波数特性の設定を変更しなくてよい。
【００１９】
本発明の更なる態様によれば、変換素子及びＡＳＩＣを備えるマイクロフォンが提供される。そこで、ＡＳＩＣは可変ハイパスフィルターを備え、マイクロフォンは可変ハイパスフィルターの設定情報を格納する不揮発性メモリを更に備える。この格納された情報は、所定のカットオフ周波数におけるマイクロフォンの感度が、標準周波数におけるマイクロフォンの感度に対して、所定の低下量を示すように、可変ハイパスフィルターを設定することができる。
【００２０】
このように、マイクロフォンは、明確に定義された周波数特性を有する。所定のカットオフ周波数を有することは、例えば、風により生じる低周波雑音が信号を歪ませるアプリケーションにとって重要である。風の雑音が通常有する低周波数は、マイクロフォンの所定のカットオフ周波数を選択したときに、カットオフ又は少なくとも著しく低下させられる範囲にある。更に、マイクロフォンのカットオフ周波数を高精度で定義可能なこともまた、一つ以上のマイクロフォンを用いるアプリケーションにとって重要である。そのようなアプリケーションでは、各々のマイクロフォンが同じ周波数特性を持つことが、通常必要とされるためである。
【００２１】
又、変換素子が、カットオフ周波数を定義してよく、ＡＳＩＣが、カットオフ周波数を有してもよい。変換素子及びＡＳＩＣの各々のカットオフ周波数がマイクロフォンの所定のカットオフ周波数より低くてもよい。
【００２２】
ハイパスフィルターは、そのカットオフ周波数を１０Ｈｚから５０Ｈｚの間の値に合わせ込み可能なように構成されてよい。変換素子は、カットオフ周波数を４０Ｈｚから８０Ｈｚの間と、定義してよい。
【００２３】
ＡＳＩＣは、前置増幅器を備えてよい。可変ハイパスフィルターは、その前置増幅器の中に統合されてよい。そのようなＡＳＩＣの設計では、可変ハイパスフィルターがＡＳＩＣ内の信号チェーンの先頭部に近接する位置にあります。
【００２４】
これは、ＡＳＩＣにより占有される面積に関して優位性がある。特に、そのような設計は、サイズやコストを節約する助けになる。
【００２５】
又、ＡＳＩＣは、前置増幅器と第２の増幅器を備えてよく、そこでは、可変ハイパスフィルターが、前置増幅器と第２の増幅器との間に配置される。そのようなＡＳＩＣの設計では、マイクロフォンの信号チェーンの終端部の方向に可変ハイパスフィルターが位置する。この設計は、信号―雑音比の観点で優位性がある。特に、可変ハイパスフィルターは雑音を導入しやすいので、その雑音を前置増幅器で増幅しないことを確実にするために、可変ハイパスフィルターは前置増幅器より後ろに配置される。
【００２６】
更に、ＡＳＩＣは、前置増幅器及びシグマーデルタ変換器を備えてよく、そこでは、可変ハイパスフィルターが、前置増幅器及びシグマーデルタ変換器の間に配置される。この設計もまた、信号―雑音比の観点で優位性がある。
【００２７】
以下に、本願の発明が、図面を参照して更に詳細に記載される。
【図面の簡単な説明】
【００２８】
【図１】は、マイクロフォンの概略図である。
【図２】は、マイクロフォンの周波数特性を示す図である。
【図３】は、低い周波数におけるマイクロフォン、変換素子、及びＡＳＩＣの周波数特性を示す図である。
【図４】は、マイクロフォンを校正する方法のフローチャートを示す図である。
【発明を実施するための形態】
【００２９】
図１は、マイクロフォン１の概略図を示す。マイクロフォン１は、ＭＥＭＳ変換素子２及びＡＳＩＣ３（ASIC = application specific integration circuit）を備える。変換素子２は、音響信号を電気信号に変換する構成である。この電気信号はＡＳＩＣ３内に供給される。ＡＳＩＣ３は、その電気信号を処理する構成である。例えば、ＡＳＩＣ３は、前置増幅器、第２の増幅器、及び、例えばシグマーデルタ変換器のようなアナログーディジタル変換器を備える。前置増幅器及び第２の増幅器は、それぞれの入力信号を増幅する構成である。アナログーディジタル変換器は、アナログ入力信号をディジタル出力信号に変換する構成である。
【００３０】
図２は、図１に示されたマイクロフォン１の周波数特性を示す。音響入力信号の周波数が横軸に示され、それぞれの周波数におけるマイクロフォン１の感度が縦軸に示される。感度とは、マイクロフォンが音響入力信号を電気信号に変換する能力を示す。縦軸は対数目盛で与えられる。図２に示されるグラフＳｍｉｃ（ｆ）もまた、マイクロフォンの周波数応答として示される。
【００３１】
マイクロフォン１の感度Ｓｍｉｃ（ｆ）は、変換素子２の感度ＳＭＥＭＳ（ｆ）にＡＳＩＣ３の感度ＳＡＳＩＣ（ｆ）を乗算した積と合致する。
Ｓｍｉｃ（ｆ）＝ＳＭＥＭＳ（ｆ）×ＳＡＳＩＣ（ｆ）
【００３２】
図２からわかるように、マイクロフォン１の感度Ｓｍｉｃ（ｆ）は周波数に依存する。下限周波数（ＬＬＦ）として示されるカットオフ周波数ｆＬＬＦを下回る周波数では、マイクロフォン１の感度Ｓｍｉｃ（ｆ）は著しく低下する。そのカットオフ周波数ｆＬＬＦは図２に図示される。このカットオフ周波数ｆＬＬＦは、下記の等式を満たす周波数で定義される。
Ｓｍｉｃ（ｆｓｔａｎｄａｒｄ）−Ｓｍｉｃ（ｆＬＬＦ）＝Δ
【００３３】
Ｓｍｉｃ（ｆｓｔａｎｄａｒｄ）は、標準周波数におけるマイクロフォンの感度を与える。この標準周波数ｆｓｔａｎｄａｒｄは、例えば１ｋＨｚとすることができる。一般に、標準周波数ｆｓｔａｎｄａｒｄは、マイクロフォン１の応答帯域の中心に位置する周波数とされる。又、標準周波数ｆｓｔａｎｄａｒｄは、マイクロフォン１が高い感度を持つ周波数とされる。Δはマイクロフォンの感度の所定の低下量を与える。この所定の低下量Δは、３ｄＢ±許容誤差とすることができる。ここで、許容誤差は０．２ｄＢであってよい。
【００３４】
図３は、低周波数における、マイクロフォン１、変換素子２、及びＡＳＩＣ３それぞれの周波数特性を示す。それぞれの入力信号の周波数は横軸に示されている。対応する周波数における、それぞれの素子の感度は、対数目盛を有する縦軸に示される。
【００３５】
図３において、グラフＳｍｉｃ（ｆ）はマイクロフォンの感度を示し、グラフＳＭＥＭＳ（ｆ）は、変換素子２の感度を示し、グラフＳＡＳＩＣ（ｆ）はＡＳＩＣ３の感度を示す。上記議論のとおり、マイクロフォンの感度Ｓｍｉｃ（ｆ）は、変換素子２の感度ＳＭＥＭＳ（ｆ）にＡＳＩＣ３の感度ＳＡＳＩＣ（ｆ）を乗算した積として算出される。変換素子２について、カットオフ周波数ｆＬＬＦ，ＭＥＭＳは感度ＳＭＥＭＳ（ｆＬＬＦ，ＭＥＭＳ）が、ある標準周波数、例えば１ｋＨｚにおける感度ＳＭＥＭＳ（ｆｓｔａｎｄａｒｄに対して、所定の低下量Δだけ低下した周波数として定義される。ここで、所定の低下量Δは、３ｄＢ±０．２ｄＢであってよい。
ＳＭＥＭＳ（ｆｓｔａｎｄａｒｄ）−ＳＭＥＭＳ（ｆＬＬＦ，ＭＥＭＳ）＝Δ
【００３６】
ＡＳＩＣ３について、カットオフ周波数ｆＬＬＦ，ＭＥＭＳも、同様な方法で定義することができる。
ＳＡＳＩＣ（ｆｓｔａｎｄａｒｄ）−ＳＡＳＩＣ（ｆＬＬＦ，ＭＥＭＳ）＝Δ
【００３７】
マイクロフォン１のカットオフ周波数ｆＬＬＦ、変換素子２のカットオフ周波数ｆＬＬＦ，ＭＥＭＳ、及びＡＳＩＣ３のカットオフ周波数ｆＬＬＦ，ＡＳＩＣが、図３に図示される。図３に示されるように、マイクロフォン１のカットオフ周波数ｆＬＬＦは、変換素子２のカットオフ周波数ｆＬＬＦ，ＭＥＭＳ、及びＡＳＩＣ３のカットオフ周波数ｆＬＬＦ，ＡＳＩＣよりも高い。
【００３８】
変換素子２のカットオフ周波数ｆＬＬＦ，ＭＥＭＳは、変換素子２の通気口の直径により、ほぼ定義される。変換素子２の製造プロセスのばらつきに起因する多くの不可避な誤差により、カットオフ周波数ｆＬＬＦ，ＭＥＭＳが±３０％範囲でばらつくことは珍しいことではない。この変換素子２のカットオフ周波数ｆＬＬＦ，ＭＥＭＳは、４０Ｈｚから８０Ｈｚの間にあるように設計されている。変換素子２の製造が完了した後では、そのカットオフ周波数ｆＬＬＦ，ＭＥＭＳを修正することは、むしろ困難である。
【００３９】
ＡＳＩＣ３では、そのカットオフ周波数ｆＬＬＦ，ＡＳＩＣの変更が可能なように設計されている。ＡＳＩＣ３は可変ハイパスフィルターを備え、それは、ＡＳＩＣ３のカットオフ周波数ｆＬＬＦ，ＡＳＩＣが修正できるようにハイパスフィルターの調整が可能である。例えば、ＡＳＩＣ３のカットオフ周波数を、所定のステップ数、例えば８ステップで、１０Ｈｚから５０Ｈｚの範囲内に合わせ込むことができる。
【００４０】
本発明の基本的な着想は、変換素子２のカットオフ周波数ｆＬＬＦ，ＭＥＭＳの不可避な誤差が相殺されるように、ＡＳＩＣ３のカットオフ周波数ｆＬＬＦ，ＡＳＩＣを合わせ込むことである。それにより、マイクロフォン１の明確に定義されたカットオフ周波数が達成されるように、マイクロフォン１の周波数特性を校正することができる。
【００４１】
図４には、カットオフ周波数ｆＬＬＦが所定の値に設定されるようにマイクロフォン１を校正する方法を具体化するフローチャートを示す。Ａは、この方法の開始時点における初期状態を表し、ＡＳＩＣ３の周波数特性の調整は何も行われていない。この方法の最初のステップＢでは、標準周波数ｆｓｔａｎｄａｒｄにおけるマイクロフォン１の感度Ｓｍｉｃ（ｆｓｔａｎｄａｒｄ）が測定される。その標準周波数ｆｓｔａｎｄａｒｄは１ｋＨｚであってよい。
【００４２】
ステップＢの後のステップＣにおいては、所定のカットオフ周波数におけるマイクロフォン１の感度の測定が実行される。ここで、所定のカットオフ周波数は、例えば８０Ｈｚであってよい。
【００４３】
ステップＣの後のステップＤにおいては、標準周波数における感度と所定のカットオフ周波数における感度との差分の算出が実行される。
【００４４】
ステップＤの後のステップＥにおいては、算出された差分が、所定の低下量Δと比較される。所定の低下量は、３ｄＢ±０．２ｄＢが選択されてよい。この算出された差分が、所定の低下量と等しい、すなわち、算出された差分が２．８ｄＢから３．２ｄＢまでの間にあるとき、校正プロセスは終結し、設定されているＡＳＩＣ３の現在の値は、ステップＦにおいて不揮発性メモリに格納される。
【００４５】
しかしながら、ステップＥにおいて、算出された差分が、所定の低下量Δと許容誤差範囲を超える差があるときは、ＡＳＩＣ３の周波数特性はステップＧで調整される。この目的のため、算出された差分が、ＡＳＩＣ３の周波数特性の新たな設定に関する情報が格納されているルックアップテーブルＨの入力パラメータとして使用される。
【００４６】
この後、ステップＣ、Ｄ、及びＥが繰り返される。そして、ステップＣ、Ｄ、Ｅ、及びＧは、マイクロフォン１の周波数特性が所定のカットオフ周波数に設定されるまで実行される逐次近似法アルゴリズムを形成する。
【００４７】
図４に示されたマイクロフォン１の校正方法は、マイクロフォン１の製造工程の最後のステップで実行することができる。ＡＳＩＣの周波数特性が最適化された設定は、ステップＦにおいて、不揮発性メモリ、例えば、ワンタイムプログラマブルデバイスに格納することができる。このことから、この設定は顧客による修正を必要としない。
【符号の説明】
【００４８】
１  マイクロフォン
２  変換素子
３  ＡＳＩＣ
Ｓｍｉｃ（ｆ）  マイクロフォンの感度
ｆＬＬＦ        マイクロフォンのカットオフ周波数
ＳＭＥＭＳ（ｆ）  変換素子の感度
ｆＬＬＦ，ＭＥＭＳ    変換素子のカットオフ周波数
ＳＡＳＩＣ（ｆ）  ＡＳＩＣの感度
ｆＬＬＦ，ＡＳＩＣ    ＡＳＩＣのカットオフ周波数
【図１】
2019508985.tif 000003
【図２】
2019508985.tif 000004
【図３】
2019508985.tif 000005
【図４】
2019508985.tif 000006
【国際調査報告】
2019508985.tif 000007
2019508985.tif 000008
2019508985.tif 000009